(57)【要約】【課題】インターネット接続能力を有するホスト装置を介してインターネット電話システムを経由しインターネット通話を行う多機能ブルートゥースインターネット電話装置の提供。【解決手段】本考案の多機能ブルートゥースインターネット電話は、記憶モジュール、ブルートゥースモジュール、ＵＳＢモジュール、制御モジュールを含む。制御モジュールが有するＵＳＢインターフェイスをホスト装置のＵＳＢインターフェイスに挿入した後、記憶ユニットから読み出したＩＤおよびパスワードに基づき、インターネット電話ソフトウェアプログラムを経由しインターネット電話システムにログオンを完成した後、ブルートゥースモジュールによってインターネット電話システム中の通話対象からの通話音声をブルートゥース通話装置に伝達し、ブルートゥースモジュールによって、ブルートゥース無線通話装置の通話音声をインターネット電話システム中の通話対象に伝達する。【選択図】図１
0003141142.tif 000002
【実用新案登録請求の範囲】
【請求項１】
インターネット接続能力を有するホスト装置（host）を介してインターネット電話システムを経由しインターネット通話を行い、該ホスト装置中に既に該インターネット電話システムのインターネット電話ソフトウェアプログラムがインストール、実行されてなり、
記憶ユニットを含み、少なくとも該インターネット電話ソフトウェアプログラムにログオンするＩＤとパスワードを保存することができる記憶モジュールと、
ブルートゥース無線通信を介してブルートゥース無線通話装置に接続することに用いるブルートゥースモジュールと、
ＵＳＢインターフェイスを含み、該ＵＳＢインターフェイスを該ホスト装置に挿入した後、該ＵＳＢインターフェイスによって該ホスト装置と相互にデータ伝送でき、それぞれ、該記憶モジュール、該ブルートゥースモジュールに電気接続するＵＳＢモジュールと、
該ＵＳＢインターフェイスを該ホスト装置のＵＳＢインターフェイスに挿入した後、該記憶ユニットから読み出したＩＤとパスワードによって、該インターネット電話ソフトウェアプログラムを経由して該インターネット電話システムにログオンし、該ブルートゥースモジュールによって該インターネット電話システム中の通話対象からの通話音声を該ブルートゥース無線通話装置に伝送し、該ブルートゥースモジュールによって該ブルートゥース無線通話装置からの通話音声を該インターネット電話システム中の通話対象に伝送する制御モジュールと、
を含む多機能ブルートゥースインターネット電話装置。
【請求項２】
前記制御モジュールが該記憶モジュールに保存されたＩＤとパスワードに対して読み取り要求に基づき対応したセキュリティ処理を行う請求項１記載の多機能ブルートゥースインターネット電話装置。
【請求項３】
前記制御モジュールが該ホスト装置の読み取り命令に基づき、該記憶モジュールを介して該記憶モジュールの該記憶ユニットに対して該読み取り命令に対応したデータ読み取りを行う請求項１記載の多機能ブルートゥースインターネット電話装置。
【請求項４】
前記記憶モジュールの該記憶ユニットが複数のインターネット電話ソフトウェアプログラムを保存する時、該制御モジュールが選択インターフェイスによって使用者に対応するインターネット電話ソフトウェアプログラムを選択的にインストール／更新するよう要求する請求項１記載の多機能ブルートゥースインターネット電話装置。
【請求項５】
前記ブルートゥース無線通話装置がブルートゥースマイクロフォンおよび／またはイヤホンである請求項１記載の多機能ブルートゥースインターネット電話装置。
【考案の詳細な説明】
【技術分野】
【０００１】
本考案は、インターネット電話装置に関し、特に、無線ブルートゥースを使用しインターネット通話を行うインターネット電話装置に関する。
【背景技術】
【０００２】
Ｓｋｙｐｅ等のインターネット電話技術の盛栄に伴い、ＶｏＩＰの通話品質が既に従来電話の通話品質に相当し、益々多くの人がＶｏＩＰを用いて音声通信を行うよう変更するようになっている。しかしながら、ＶｏＩＰは、パソコンを介して初めて使用でき、これがＳｋｙｐｅ等のＶｏＩＰに依然として障害となっている。これらの問題を解決するため、既に多くのメーカーがＶｏＩＰを支援できるブルートゥース無線通話装置を推進している。
【０００３】
一般のＶｏＩＰのブルートゥース無線通話装置は、いずれもＵＳＢインターフェイスを有し、このＵＳＢインターフェイスをパソコンのＵＳＢインターフェイスに挿入し、この装置に対応する駆動プログラムのインストールが完成した後、使用者は、自らＳｋｙｐｅのようなインターネット電話ソフトウェアプログラムをインストールすることができる。このようにして、他のＳｋｙｐｅユーザーの入電コールを有する時、ＶｏＩＰに基づくブルートゥース無線通話装置自身が有する電子ベルモジュールが音声を発生し、入電コールがあることを提示する。使用者は、通話ボタンを押せば、一般の家庭用電話と同様にコール者と音声通話を行うことができる。
【０００４】
ＶｏＩＰのブルートゥース無線通話装置はＵＳＢ自身が有するＰｎＰ機能を介して、駆動プログラムのインストールを自動完成し、ブルートゥース無線通話装置のハードウェアを使用可能にするが、ＶｏＩＰのブルートゥース無線通話装置は、依然として相対するインターネット電話ソフトウェアプログラムのサポートを必要として始めてインターネット電話システムに実際に入り、インターネット電話の通話を行うことができる。従って、パソコンを使用することが不得意な人にとって、依然として使用上の障害を有する。通常、ＶｏＩＰのブルートゥース無線通話装置は、依然として十分パソコン上のインターネット電話ソフトウェアプログラムの設定、操作に依存している。インターネット電話ソフトウェアプログラムを介してインターネット電話システムにログオンする必要がある時、使用者は、自らＩＤ、パスワードを入力する必要がある。ホストコンピュータ中にインターネット電話ソフトウェアプログラムが元々インストール、実行されていない時、使用者は、更に自身でプログラムを取得、インストール、設定する方法を考えなければならない。
【特許文献１】特開２００４−２９７６８４号公報
【考案の開示】
【考案が解決しようとする課題】
【０００５】
本考案の目的は、元々インターネット電話機能を有さないホスト装置（例えばパソコン）が、制御モジュールの制御の下、内蔵されるインターネット電話ソフトウェアプログラムをホスト装置にインストールし、このプログラムのインストールが完成した後、使用者にその有するブルートゥース無線通話装置によってインターネット電話の通話を行うことができるようにする多機能ブルートゥースインターネット電話装置を提供することである。
【０００６】
本考案の次の目的は、元々インターネット電話ソフトウェアプログラム、ＩＤ／パスワードを保存することに用いる記憶モジュールが、制御モジュールの読み取り制御の下、ホスト装置が記憶モジュールに対しデータを取得することを許可し、多機能ブルートゥースインターネット電話装置に別途メモリースティックの機能を持たせることができる多機能ブルートゥースインターネット電話装置を提供することである。
【０００７】
本考案の次の目的は、制御モジュールの制御の下、ＩＤ／パスワード、一般のデータ（メモリースティックとする時）の読み取り要求に基づき、相対するセキュリティ処理（例えば、指紋識別、ＲＦＩＤ、１２８ｂｉｔｓ暗号化）を行うことができる多機能ブルートゥースインターネット電話装置を提供することである。
【課題を解決するための手段】
【０００８】
上記の目的を達成する為、本考案の多機能ブルートゥースインターネット電話は、記憶モジュール、ブルートゥースモジュール、ＵＳＢモジュール、制御モジュールを含む。制御モジュールが有するＵＳＢインターフェイスをホスト装置のＵＳＢインターフェイスに挿入した後、記憶ユニットから読み出したＩＤおよびパスワードに基づき、インターネット電話ソフトウェアプログラムを経由しインターネット電話システムにログオンを完成した後、ブルートゥースモジュールによってインターネット電話システム中の通話対象からの通話音声をブルートゥース通話装置に伝達し、ブルートゥースモジュールによって、ブルートゥース無線通話装置の通話音声をインターネット電話システム中の通話対象に伝達する。
【考案の効果】
【０００９】
本考案の多機能ブルートゥースインターネット電話装置は、インターネット接続能力を有するホスト装置（host）を介してインターネット電話システムを経由でインターネット通話を行うことができる。
【考案を実施するための最良の形態】
【００１０】
図１は、本考案の多機能ブルートゥースインターネット電話装置の説明図である。図１に示すように、本考案の多機能ブルートゥースインターネット電話装置１０は、少なくともＵＳＢモジュール１４（ＵＳＢインターフェイス１４ａを含む）と、記憶モジュール１６（記憶ユニット１６ａを含む）と、ブルートゥースモジュール１８と、制御モジュール２０とを含む。記憶モジュール１６が、少なくともインターネット電話ソフトウェアプログラムにログインすることに用いるＩＤとパスワードを保存することができる。ブルートゥースモジュール１８は、ブルートゥース無線通信を介してブルートゥース無線通話装置１８ａに接続することに用いることができる。ＵＳＢモジュール１４は、ＵＳＢインターフェイス１４ａをホスト装置１２のＵＳＢインターフェイスに挿入した後、ＵＳＢインターフェイス１４ａによってホスト装置１２と相互にデータ伝送を行うことができ、且つそれぞれ記憶モジュール１６、ブルートゥースモジュール１８に接続することができる。ブルートゥース無線通話装置１８ａの受話、発話ユニットがそれぞれイヤホン、マイクロホン/イヤホンマイクロホンセットであることができ、ブルートゥースモジュール１８と相互に通話音声を伝送することができる。
【００１１】
即ち、インターネット接続能力を有するがインターネット電話機能を有さないホスト主機１２（host）（例えば、パソコン）にインターネット通話を行わせるため、本考案の多機能ブルートゥースインターネット電話装置１０は、ＵＳＢインターフェイス１４ａをホスト装置１２のＵＳＢインターフェイス（図示せず）に挿入した後、一般のＵＳＢ装置と同様に、駆動プログラムのインストールを完成する以外に、制御モジュール２０が記憶ユニット１６ａからインターネット電話ソフトウェアプログラムを読み出し、ＵＳＢモジュール１４を介してホスト装置１２に伝送し、使用者が確認した後、ホスト装置１２にインストールを完成することができる。上記インストール完成後、更に、記憶ユニット１６ａに保存されるＩＤ／パスワードを利用し、インターネット電話ソフトウェアプログラムを経由してインターネット電話システムにログオンする。このように、使用者がブルートゥース無線通話装置１８ａによって、ブルートゥースモジュール１８の制御の下、インターネット電話の通話を行うことができる。
【００１２】
このほか、元々、インターネット電話ソフトウェアプログラム、ＩＤ／パスワードを保存することに用いる記憶モジュール１６は、制御モジュール２０の読み取り制御の下、ホスト装置１２が記憶モジュール１６に対してデータを読み取ることを許可し、多機能ブルートゥースインターネット電話装置１０が更に別途メモリースティック機能を有することができる。また、多機能ブルートゥースインターネット電話装置１０は、記憶モジュール１６（記憶ユニット１６ａを含む）、ブルートゥースモジュール１８を利用し、さらに、無線データ照合、ブルートゥース装置を備えるハードウェア（無線データの伝送、音声の通信、無線マウス、無線キーボード等を含む）に通信、ブルートゥースに適合したサウンドカードを提供する。ブルートゥースのサウンドカードの実行中、多機能ブルートゥースインターネット電話装置１０中に別途プラグアンドプレイのＵＳＢＡｕｄｉｏ音声機能を具備させるだけで、ホスト装置１２に挿入した後、コンピュータにとりブルートゥースのサウンドカードとして見なされることができる。
【００１３】
記憶ユニット１６ａに保存されるデータ（特に、ＩＤ／パスワード）の保護を強化するため、制御モジュール２０の制御の下、ＩＤ／パスワード、一般のデータ（メモリースティックとして使用する時）の読み取り要求に対して、対応するセキュリティ処理（例えば、指紋識別、ＲＦＩＤ、１２８ｂｉｔｓ暗号化）を行う。記憶モジュール１６の記憶ユニット１６ａが複数のインターネット電話ソフトウェアプログラムを保存する時（Ｓｋｙｐｅ、ＭＳＮ  ｍｅｓｓａｇｅｒ、Ｙａｈｏｏ ｍｅｓｓａｇｅｒ等のインターネット電話通信能力を有するソフトウェア）、制御モジュール２０は、ホスト装置１２が有するディスプレイ（図示せず）または多機能ブルートゥースインターネット電話装置１０を内蔵したディスプレイによってインターフェイスを選択し、使用者にインストールおよび／または更新を選択させ、選択した後、対応したインターネット電話ソフトウェアプログラムをインストールおよび／または更新する。
【００１４】
インターネット電話ソフトウェアにおいては、如何にインターネット接続能力を有するホスト装置１２によって インターネット電話通信を行うかは、公知技術に基づくので、ここではその通話過程のみを簡単に記載する。制御モジュール２０は、ＵＳＢインターフェイス１４ａをホスト装置１２のＵＳＢインターフェイスに挿入した後、記憶ユニット１６から読み出されるＩＤ／パスワードに従い、インターネット電話ソフトウェアプログラムを経由しインターネット電話システムにログオンした後、インターネット電話ソフトウェアプログラムを介して通話対象を指定し、接続プロセスを完成するのを待つ。接続が完成した後、ブルートゥースモジュール１８によってインターネット電話システム中の通話対象からの通話音声をブルートゥース無線通話装置１８ａに伝達し、同時にブルートゥースモジュール１８によってブルートゥース無線通話装置１８ａからの通話音声をインターネット電話システム中の通話対象に伝達する。
【００１５】
図２は、本考案の多機能ブルートゥースインターネット電話装置の動作フロー図である。図２に示すように、装置が起動される時、先ず、最初の使用であるか否かを判断し、最初の使用である時、装置が先ず初期設定を行い、インストール設定作業を行う。初期設定の作業が完成した後、ハードウェア検出インストール検査を行う。ハードウェア検出インストール検査中、ＵＳＢＨＵＢハードウェア（ＵＳＢモジュール１４）、ブルートゥースモジュール１８の駆動プログラムをインストールしたかどうかを検査し、必要なインストール作業を相対して完成させる。ハードウェア検出が完了した後、ソフトウェアプログラムインストールプロセスを行う。ソフトウェアプログラムインストールプロセス中、ソフトウェアプログラムの制御モジュール２０を介して行うことができる。制御モジュール２０は、セキュリティ認証を行い、ソフトウェアインストール設定を行い、状況に応じて更新が必要かどうかを決定する。上記セキュリティ認証は、ＩＤ／パスワードに対する認定と保護である。最初にセキュリティ認証を行う時、ＩＤ／パスワードの設定を要求し、１２８bitsを用いて暗号化作業を完成する。以後、ＩＤ／パスワードが必要な時、検証を通過した後に、記憶ユニット１６ａ中に保存されたＩＤ／パスワードを開放、読み出しを許可する。
【００１６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００１７】
【図１】本考案の多機能ブルートゥースインターネット電話装置の説明図である。
【図２】本考案の多機能ブルートゥースインターネット電話装置の動作フロー図である。
【符号の説明】
【００１８】
１０  多機能ブルートゥースインターネット電話装置
１２  ホスト装置
１４  ＵＳＢモジュール
１４ａ  ＵＳＢインターフェイス
１６  記憶モジュール
１６ａ  記憶ユニット
１８  ブルートゥースモジュール
１８ａ  ブルートゥース無線通話装置
２０  制御モジュール
【図１】
0003141142.tif 000003
【図２】
0003141142.tif 000004